(57)【要約】【課題】互いに嵌合する一対のコネクタ間の振動を防止できるとともに、比較的軽くて安価である防振型のコネクタを提供する。【解決手段】第１コネクタ２と第２コネクタ３とを挿嵌する際、および嵌合した状態では、第２コネクタ３の突起部３５がバネ部材４の第２傾斜部４０ｃ，４１ｃ上に摺接し、バネ部材４の弾性力により第２コネクタが挿嵌方向に付勢し、雄コネクタ３を雌コネクタ２に向けて引き寄せる。【選択図】図３
2010073359.tif 000002
【特許請求の範囲】
【請求項１】
第１コネクタと、この第１コネクタと嵌脱可能に構成された第２コネクタと、該第１コネクタ及び第２コネクタ間に位置し、弾性材からなるバネ部材とを備えたコネクタであって、
前記第２コネクタに、側面より外方へ突出する突起部と、
前記第１コネクタに、第１，第２コネクタの挿嵌方向へ延設され、前記突起部が挿通されるスリットとを備え、
前記バネ部材は、
一端が該第１コネクタに支持され、
第１傾斜部と、第２傾斜部と、これら第１，第２傾斜部の各端部を繋ぐ屈曲部とからなる略Ｖ字形状部分を有し、該スリットに沿って延設される腕部を具備し、
該第１傾斜部は、該屈曲部より挿嵌方向の後側に、該スリットから次第に離れるように斜めに設けられ、
該第２傾斜部は、該屈曲部より挿嵌方向の前側に、該スリットへ次第に近づくように斜めに設けられ、
該第１コネクタと該第２コネクタとを挿嵌する際に、
該第２コネクタの前記突起部が前記バネ部材の前記第１傾斜部上を摺動して前記バネ部材が弾性変形し、
前記突起部が前記屈曲部を乗越えた後、前記突起部が前記腕部の前記第２傾斜部上を摺動して、前記バネ部材が弾性復帰することで、前記第２コネクタを挿嵌方向に付勢することを特徴とするコネクタ。
【請求項２】
請求項１記載のコネクタであって、
前記第２コネクタは、両側面よりそれぞれ外方へ突出し、前記第１コネクタの前記スリットにそれぞれ挿通される一対の前記突起部を備え、
前記バネ部材は、前記第１コネクタの左右両側に配置される一対の前記腕部と、該一対の腕部を連結する連結部とから一体に構成されたことを特徴とするコネクタ。
【発明の詳細な説明】
【技術分野】
【０００１】
本発明は、一対のコネクタ間の振動を防止することにより端子接点部の摩耗を抑制可能な防振型のコネクタに関する。
【背景技術】
【０００２】
この種の従来の防振型のコネクタとして、特許文献１に開示されたものがある。このコネクタ１００は、図１３〜図１５に示すように、雄コネクタ１０１と、この雄コネクタ１０１と嵌合する雌コネクタ１０２とを備え、雌コネクタ１０２は、インナハウジング１０３及びアウタハウジング１０４を有し、これらのハウジング１０３、１０４間にインナハウジング１０３を軸方向に付勢するバネ部材１０５が介設されている。雄コネクタ１０１及び雌コネクタ１０２のインナハウジング１０３には互いに当接する斜面部１０１ａ，１０３ａが設けられている。
【０００３】
上記構成によれば、雄コネクタ１０１の斜面部１０１ａ及びインナハウジング１０３の斜面部１０３ａが互いに当接し、バネ部材１０５によりインナハウジング１０３が軸方向に付勢させるので、インナハウジング１０３の斜面部１０３ａが雄コネクタ１０１の斜面部１０１ａに押し付けられている。これによって、一対の雄コネクタ１０１及び雌コネクタ１０２間の振動を防止することができるので、これらのコネクタ１０１，１０２に設けられる端子接点部の摩耗を抑制可能である。
【特許文献１】特開２００６−２４４５８号公報
【発明の開示】
【発明が解決しようとする課題】
【０００４】
しかしながら、特許文献１のコネクタ１００にあっては、雌コネクタ１０２のハウジングをインナハウジング１０３及びアウタハウジング１０４に分割する必要があるとともに、巻きバネから構成されるバネ部材１０５を雌コネクタ１０２内に設けるスペースが必要であり、大型化して重量が増え、かつコストがかさむという問題があった。さらに、雄コネクタ１０１を雌コネクタ１０２に挿入する際、バネ部材１０５のバネ力が働くため大きな挿入力を要するという問題もあった。
【０００５】
そこで、本発明は、前記した課題を解決すべくなされたものであり、小さな挿入力で嵌合でき、互いに嵌合する一対のコネクタ間の振動を防止することができるとともに、比較的軽くて安価である防振型のコネクタを提供することを目的とする。
【課題を解決するための手段】
【０００６】
請求項１の発明は、第１コネクタと、この第１コネクタと嵌脱可能に構成された第２コネクタと、該第１コネクタ及び第２コネクタ間に位置し、弾性材からなるバネ部材とを備えたコネクタであって、前記第２コネクタに、側面より外方へ突出する突起部と、前記第１コネクタに、第１，第２コネクタの挿嵌方向へ延設され、前記突起部が挿通されるスリットとを備え、前記バネ部材は、一端が該第１コネクタに支持され、第１傾斜部と、第２傾斜部と、これら第１，第２傾斜部の各端部を繋ぐ屈曲部とからなる略Ｖ字形状部分を有し、該スリットに沿って延設される腕部を具備し、該第１傾斜部は、該屈曲部より挿嵌方向の後側に、該スリットから次第に離れるように斜めに設けられ、該第２傾斜部は、該屈曲部より挿嵌方向の前側に、該スリットへ次第に近づくように斜めに設けられ、該第１コネクタと該第２コネクタとを挿嵌する際に、該第２コネクタの前記突起部が前記バネ部材の前記第１傾斜部上を摺動して前記バネ部材が弾性変形し、前記突起部が前記屈曲部を乗越えた後、前記突起部が前記腕部の前記第２傾斜部上を摺動して、前記バネ部材が弾性復帰することで、前記第２コネクタを挿嵌方向に付勢することを特徴とする。
【０００７】
請求項２の発明は、請求項１記載のコネクタであって、前記第２コネクタは、両側面よりそれぞれ外方へ突出し、前記第１コネクタの前記スリットにそれぞれ挿通される一対の前記突起部を備え、前記バネ部材は、前記第１コネクタの左右両側に配置される一対の前記腕部と、該一対の腕部を連結する連結部とから一体に構成されたことを特徴とする。
【発明の効果】
【０００８】
請求項１の発明によれば、第１コネクタと第２コネクタを嵌合する際に、第２コネクタの突起部がバネ部材の第２傾斜部上を摺動し、バネ部材により第２コネクタを挿嵌方向に付勢されるため、挿入力を小さくすることができるとともに、嵌合状態でも挿嵌方向に付勢されるため、コネクタ間の振動を防止できる。また、前記バネ部材を簡易な構成とすることができるので、比較的軽くて安価であるコネクタが得られる。
【０００９】
請求項２の発明によれば、第２コネクタの両側面よりそれぞれ外方へ突出する一対の突起部が、第１コネクタのスリットにそれぞれ挿通されるとともに、該第１コネクタの左右両側にてバネ部材の一対の腕部にそれぞれ付勢されるので、より安定した状態で第２コネクタを挿嵌方向に付勢することができる。
【発明を実施するための最良の形態】
【００１０】
以下、本発明の一実施形態を図面に基づいて説明する。図１〜図１２は本発明の一実施形態を示し、図１は雌コネクタに雄コネクタを挿入する前の状態を示す側面図、図２は雌コネクタに雄コネクタを挿入する途中の状態を示す側面図、図３はコネクタの嵌合状態を示す側面図、図４はコネクタの嵌合状態を示す断面図、図５はコネクタの雌コネクタにバネ部材を組み込んだ状態を示す斜視図、図６はバネ部材が組み込まれた雌コネクタの側面図、図７はバネ部材が組み込まれた雌コネクタの正面図、図８はバネ部材が組み込まれた雌コネクタの背面図、図９は雌コネクタの斜視図、図１０はバネ部材の斜視図、図１１は雄コネクタの斜視図、図１２は雄コネクタの正面図である。
【００１１】
本願のコネクタ１は、図１〜図１２に示すように、第１コネクタとしての雌コネクタ２と、この雌コネクタ２と嵌合する第２コネクタとしての雄コネクタ３と、これらのコネクタ２，３間に設けられるバネ部材４とから主として構成されている。なお、図５のＸ方向は雄コネクタ３の挿嵌方向を示し、この挿嵌方向に対して垂直な縦方向（図面上下方向）、横方向をそれぞれＹ方向、Ｚ方向と称する。
【００１２】
雌コネクタ２は、合成樹脂からなり、箱形状を有し正面２０ａ側（図１の左側）に開口するハウジング２０と、このハウジング２０の内部に形成されるコネクタ本体２１とを備え、これらのハウジング２０及びコネクタ本体２１間に、雄コネクタ３を収容する収容部２２が形成されている。コネクタ本体２１内に、電線が接続される複数の雌側端子金具（図示せず）が配設され、コネクタ本体２１の先端外周には、テーパ部２３が形成されている。また、ハウジング２０のＺ方向の両側面には、それぞれ正面２０ａ側からＸ方向に延設されるスリット２４が設けられ、このスリット２４の両端近傍にはバネ部材４を支持する支持部２５、２６が設けられている。
【００１３】
雄コネクタ３は、合成樹脂からなり、箱形状を有し正面３０ａ側（図１の右側）に開口するハウジング３０と、このハウジング３０の内部に形成され、雌コネクタ２のコネクタ本体２１を収容する収容部３１が設けられている。ハウジング３０の上面からＹ方向に突出する突起３２は、コネクタ２，３の嵌合状態にて雌コネクタ２側の係止部２７により係止され、コネクタ２，３が離間することを防止している。収容部３１の底部に形成されるテーパ部３３は、雌コネクタ２のテーパ部２３と当接するとともに、電線（図示せず）が接続される複数の雄側端子金具３４は、雌コネクタ２のコネクタ本体２１に挿入される。また、ハウジング３０のＺ方向の両側面３ａには、それぞれバネ部材４に当接し、付勢される一対の突起部３５が設けられ、これらの突起部３５は、雌コネクタ２のスリット２４に挿通される支軸３６と、この支軸３６の先端より外方に膨出し、スリット２４の幅寸法より大きな外径を有するつば部３７とから構成されている。
【００１４】
バネ部材４は、線バネ材を略コ字形状に形成されており、雌コネクタ２の左右両側（すなわちＺ方向の両側）に配置されるとともにＸ方向へ延設される一対の腕部４０，４１と、一対の腕部４０，４１の各一端を連結する連結部４２とから一体に構成されている。一方の腕部４０は、後述する第１傾斜部４０ｂと、第２傾斜部４０ｃと、これら第１，第２傾斜部４０ｂ，４０ｃの各端部を繋ぐ屈曲部４０ａとからなる略Ｖ字形状部分を有し、スリット２４に沿って延設され、雌コネクタ２の支持部２５，２６で支持されている。また、一方の腕部４０は、中間の屈曲部４０ａより挿嵌方向の後側（図１の左側）に設けられ、スリット２４から次第に離れるように斜めに設けられた第１傾斜部４０ｂと、前記屈曲部４０ａより挿嵌方向の前側（図１の右側）に設けられ、スリット２４へ次第に近づくように斜めに設けられた第２傾斜部４０ｃとを有している。他方の腕部４１も同様に構成され、中間の屈曲部４１ａ、第１傾斜部４１ｂ、及び第２傾斜部４１ｃを有している。連結部４２は、Ｚ方向に延設され、ハウジング２０背面側の支持部２８により支持されている。
【００１５】
上記構成において、雌コネクタ２に雄コネクタ３を挿入する前に、図５〜図８に示すように、あらかじめ雌コネクタ２にバネ部材４を組み込んでおく。その際に、バネ部材４の連結部４２をハウジング２０背面側の支持部２８に係止させるとともに、一対の腕部４０，４１をハウジング２０両面の支持部２５、２６にそれぞれ係止させて、中間の屈曲部４０ａ，４１ａ、第１傾斜部４０ｂ，４１ｂ、及び第２傾斜部４０ｃ，４１ｃをハウジング２０両面のスリット２４の外側に配置する。
【００１６】
次いで、図１に示すように、雌コネクタ２のハウジング２０の正面２０ａ側及び雄コネクタ３のハウジング３０の正面３０ａ側を互いに向き合わせて、雌コネクタ２に対して雄コネクタ３を挿入することにより、雌コネクタ２の収容部２２に雄コネクタ３の正面２０ａ側を収容し始めるとともに、ハウジング３０のＺ方向の両側面３ａから突出する一対の突起部３５を、雌コネクタ２のスリット２４に挿通して一対の腕部４０，４１と当接させる。このとき、突起部３５の支軸３６がバネ部材４の第１傾斜部４０ｂ，４１ｂ上を摺動して、連結部４２側を中心にして一対の腕部４０，４１が図２の矢印方向（Ｙ方向）に押し上げて、バネ部材４を弾性変形させる。
【００１７】
さらに、雄コネクタ３を雌コネクタ２に挿入することにより、図２に示すように、突起部３５の支軸３６がバネ部材４の屈曲部４０ａ，４１ａと乗越えた後、突起部３５の支軸３６がバネ部材４の第２傾斜部４０ｃ，４１ｃ上を摺動して、バネ部材４に生じる弾性復帰力で一対の腕部４０，４１がＹ方向に下降する。このとき、前記第２傾斜部４０ｃが挿嵌方向（Ｘ方向）に対して次第に近づくように斜めに配置されているので、下向きの弾性復帰力が挿嵌方向の力へ変換されて突起部３５を介して雄コネクタ３へ加えられる。その結果、雄コネクタ３が挿嵌方向に付勢されて雌コネクタ２に向かって引き寄せられるとともに、雄コネクタ３の収容部３１の底部に形成されるテーパ部３３は、雌コネクタ２のコネクタ本体２１先端外周のテーパ部２３に接近する。
【００１８】
次いで、図３に示すように、雄コネクタ３を雌コネクタ２に対して移動端部まで挿入したとき、突起部３５の支軸３６が引き続きバネ部材４の第２傾斜部４０ｃ，４１ｃに当接し、第２コネクタ３を挿嵌方向に付勢する。このとき、図４に示すように、雄コネクタ３のテーパ部３３は、雌コネクタ２のテーパ部２３と当接する。このコネクタ２，３の嵌合状態で、バネ部材４にて雄コネクタ３の挿嵌方向への弾性復帰力が生じているので、雄コネクタ３が挿嵌方向に付勢されて雌コネクタ２に向かって引き寄せられた状態が維持されて、コネクタ２，３間の振動、およびガタ付きが抑制される。
【００１９】
次に、上記のようにコネクタ２，３が互いに嵌合する状態から離間する際、上記の挿入時の手順と逆の手順が用いられる。すなわち、図３に示すように、雄コネクタ３を雌コネクタ２に対して移動端部まで挿入した状態から、雄コネクタ３を挿嵌方向の反対方向へ移動させると、突起部３５の支軸３６がバネ部材４の第２傾斜部４０ｃ，４１ｃ上を摺動し、第２コネクタ３を挿嵌方向に付勢する。次いで、突起部３５の支軸３６がバネ部材４の屈曲部４０ａ，４１ａを乗越えた後、突起部３５の支軸３６がバネ部材４の第１傾斜部４０ｂ，４１ｂ上を摺動し、第２コネクタ３を挿嵌方向に付勢する状態が解除される。さらに、雄コネクタ３を挿嵌方向の反対方向へ移動させると、図１に示すように、雄コネクタ３が雌コネクタ２から離間する。
【００２０】
上記構成によれば、一対のコネクタ２，３を嵌合する際に、突起部３５の支軸３６がバネ部材４の屈曲部４０ａ，４１ａを乗越えた後、雄コネクタ３が挿嵌方向に付勢されるため、挿入力を小さくすることができるとともに、嵌合状態でも挿嵌方向に付勢されるため、一対のコネクタ２，３間の振動を防止することができる。また、線バネ材を略コ字形状に折り曲げて連結部４２と一対の腕部４０，４１とから一体に構成することにより、バネ部材４を簡易な構成とすることができるので、比較的軽くて安価であるコネクタ１が得られる。
【００２１】
また、上記構成によれば雄コネクタ３の両側面３ａより外方へ突出する一対の突起部３５が、雌コネクタ２の左右両側にバネ部材４の一対の腕部４０，４１とそれぞれ当接し、付勢されるので、より安定した状態で雄コネクタ３を挿嵌方向に付勢することができる。
【００２２】
また、上記構成によれば、突起部３５の支軸３６先端がバネ部材４の一対の腕部４０，４１上を摺動する際に、支軸３６先端に設けたつば部３７が腕部４０，４１を案内することにより、腕部４０，４１の摺動状態を確実に保持することができる。
【００２３】
また、上記構成によれば、コネクタ２，３の嵌合時に、バネ部材４の腕部４０，４１の両端がハウジング２０の支持部２５、２６により規制された状態で、バネ部材４に生じる弾性復帰力が第２傾斜部４０ｃ，４１ｃから雄コネクタ３の挿嵌方向に働くので、該弾性復帰力を有効に活用することができる。
【図面の簡単な説明】
【００２４】
【図１】本発明の一実施形態を示し、雌コネクタに雄コネクタを挿入する前の状態を示す側面図である。
【図２】本発明の一実施形態を示し、雌コネクタに雄コネクタを挿入する途中の状態を示す側面図である。
【図３】本発明の一実施形態を示し、コネクタの嵌合状態を示す側面図である。
【図４】本発明の一実施形態を示し、コネクタの嵌合状態を示す断面図である。
【図５】本発明の一実施形態を示し、コネクタの雌コネクタにバネ部材を組み込んだ状態を示す斜視図である。
【図６】本発明の一実施形態を示し、バネ部材が組み込まれた雌コネクタの側面図である。
【図７】本発明の一実施形態を示し、バネ部材が組み込まれた雌コネクタの正面図である。
【図８】本発明の一実施形態を示し、バネ部材が組み込まれた雌コネクタの背面図である。
【図９】本発明の一実施形態を示し、雌コネクタの斜視図である。
【図１０】本発明の一実施形態を示し、バネ部材の斜視図である。
【図１１】本発明の一実施形態を示し、雄コネクタの斜視図である。
【図１２】本発明の一実施形態を示し、雄コネクタの正面図である。
【図１３】従来例のコネクタを示す組立斜視図である。
【図１４】従来例のコネクタの雌コネクタを示す組立斜視図である。
【図１５】従来例のコネクタの雌コネクタを示す分解斜視図である。
【符号の説明】
【００２５】
１…コネクタ
２…雌コネクタ（第１コネクタ）
３…雄コネクタ（第２コネクタ）
３ａ…側面
４…バネ部材
２４…スリット
３５…突起部
４０，４１…腕部
４０ａ，４１ａ…屈曲部
４０ｂ，４１ｂ…第１傾斜部
４０ｃ，４１ｃ…第２傾斜部
４２…連結部
【図１】
2010073359.tif 000003
【図２】
2010073359.tif 000004
【図３】
2010073359.tif 000005
【図４】
2010073359.tif 000006
【図５】
2010073359.tif 000007
【図６】
2010073359.tif 000008
【図７】
2010073359.tif 000009
【図８】
2010073359.tif 000010
【図９】
2010073359.tif 000011
【図１０】
2010073359.tif 000012
【図１１】
2010073359.tif 000013
【図１２】
2010073359.tif 000014
【図１３】
2010073359.tif 000015
【図１４】
2010073359.tif 000016
【図１５】
2010073359.tif 000017